(57)【要約】      （修正有）【課題】偏平な筒体からなり両底面を離すことで外径を小さくする蓋体において、外径の変化量を従来よりも大きくし、密閉性を確保しつつ、装着する容器の内周面との間の製造精度を緩和できる容器用蓋を提供する。【解決手段】少なくとも側周面外壁が軟質なエラストマーにより形成される偏平な筒体１０からなり、側周面の一部の周面が円形の内周面を有する容器の内周面に塞ぐように密着する蓋体Ｘにおいて、筒体の前記一部の周面に含まれる側周面中央部分の外径は容器の密着する内周面の内径よりも大きく、筒体の両底面の最大径は容器の内周面の内径よりも小さく形成する。【選択図】図２
0003199467.tif 000002
【実用新案登録請求の範囲】
【請求項１】
少なくとも側周面外壁が軟質なエラストマーにより形成される偏平な筒体からなり、当該側周面の一部の周面が円形の内周面を有する容器の当該内周面に塞ぐように密着する蓋体であって、前記筒体の上底面と下底面の距離を広げて前記筒体の外径を小さくすることで、前記容器内面との密着が解かれる構造を有する蓋体であって、
前記筒体の前記一部の周面に含まれる側周面中央部分の外径は前記容器の密着する内周面の内径よりも大きく、前記筒体の両底面の最大径は当該内周面の内径よりも小さく形成される
容器用蓋。
【請求項２】
前記筒体の下底面開口を気密的又は液密的に封止する硬質な板体からなる下面封止体と、
前記筒体の上底面開口形状を保持する硬質な板体又は枠体である上面保持体と
を有する請求項１に記載の容器用蓋。
【請求項３】
前記上面保持体に設けられるアーチ状部材からなる指掛け部と、
前記アーチ状部材の上方に一定距離を置いて沿うように設けられる棒状部材からなる押下部と、
前記押下部の両端下面のそれぞれに設けられる、下端が前記下面封止体の上面に当接又は固定される棒状部材からなる連結部と
を有する請求項２に記載の容器用蓋。
【請求項４】
前記エラストマーにより形成される筒体とは別の弾性体によって、前記筒体の上底面側と下底面側とが互いに近づく方向に付勢されるものである請求項１から３のいずれか１項に記載の容器用蓋体。
【請求項５】
請求項１から４のいずれか１項に記載の容器用蓋と、
前記筒体の側周面中央部分の外径より小さく、前記円体の両底面は当該内周面の内径よりも小さく形成される内周を有する円筒部分が形成された容器と
からなる蓋付き容器。
【考案の詳細な説明】
【技術分野】
【０００１】
本考案は、有底円筒状の容器の内周に係合する蓋に関し、特に、固定位置を変えることができるものに関する。
【背景技術】
【０００２】
下記特許文献１、２には、円筒状の容器の内壁に係合する円形のエラストマー製の蓋であって、使用者の操作で最大外径が小さくなる構造を有する蓋が示されている。このような蓋を用いると、蓋の最大外径を小さくすることで容器内を移動でき、容器の任意の高さ位置に蓋を固定することが可能となる。
また、蓋の固定位置を変えることは示されていないが、下記特許文献３乃至５にも、円形のエラストマー製の蓋であって、使用者の操作で最大外径が小さくなる構造を有する蓋が示されている。特許文献３乃至５に記載の蓋も、円筒状の容器に用いれば蓋の固定位置を変えることが可能である。これらの蓋は、側周面及び底面を一体のエラストマーにより形成し、底面を上方から下方に押して側周面を撓めることで側周面の最大外周径を小さくする構造を有する。
【先行技術文献】
【特許文献】
【０００３】
【特許文献１】特開2014-181054公報
【特許文献２】特開昭61-51348号公報
【特許文献３】特開昭47-31782号公報
【特許文献４】特開昭54-98447号公報
【特許文献５】特開昭60-90143号公報
【考案の概要】
【考案が解決しようとする課題】
【０００４】
ところで、上記特許文献２乃至５に記載の蓋体は側周面の底面部分の外径を最大とする構造を有するので、外径の変化量が少なく、また、容器内周面と線接触するので密閉性が小さいという問題がある。上記特許文献１に記載の蓋体は側周面は外径が同じ円筒面により形成しているので、密閉性は大きいが、外径の変化量が小さい点は同じであり、容器内周に適切に係合させるには高い精度が必要となるという問題が生じる。
本考案は、このような問題に鑑みて、外径の変化量を従来よりも大きくし、密閉性を確保しつつ、装着する容器の内周面との間の製造精度の高さを厳密に要求されない、円筒容器内周面に係合する蓋を提供することを課題とする。
【課題を解決するための手段】
【０００５】
上記課題を解決するために、本考案は、次のような構成を有する。
請求項１に記載の考案は、少なくとも側周面外壁が軟質なエラストマーにより形成される偏平な筒体からなり、当該側周面の一部の周面が円形の内周面を有する容器の当該内周面に塞ぐように密着する蓋体であって、前記筒体の上底面と下底面の距離を広げて前記筒体の外径を小さくすることで、前記容器内面との密着が解かれる構造を有する容器用蓋において、前記筒体の前記一部の周面に含まれる側周面中央部分の外径は前記容器の密着する内周面の内径よりも大きく、前記筒体の両底面の最大径は当該内周面の内径よりも小さく形成されるものである。
請求項２に記載の考案は、前記容器用蓋において、前記筒体の下底面開口を気密的又は液密的に封止する硬質な板体からなる下面封止体と、前記筒体の上底面開口形状を保持する硬質な板体又は枠体である上面保持体とを有するものである。
請求項３に記載の考案は、請求項２に記載の容器用蓋において、前記上面保持体に設けられるアーチ状部材からなる指掛け部と、前記アーチ状部材の上方に一定距離を置いて沿うように設けられる棒状部材からなる押下部と、前記押下部の両端下面のそれぞれに設けられる、下端が前記下面封止体の上面に当接又は固定される棒状部材からなる連結部とを有するものである。
請求項４に記載の考案は、前記容器用蓋において、前記エラストマーにより形成される筒体とは別の弾性体によって、前記筒体の上底面側と下底面側とが互いに近づく方向に付勢されるものである。
請求項５に記載の考案は、前記容器用蓋と、前記筒体の側周面中央部分の外径より小さく、前記円体の両底面は当該内周面の内径よりも小さく形成される内周を有する円筒部分が形成された容器とからなる蓋付き容器である。
【考案の効果】
【０００６】
以上のような構成により、本考案は、次のような効果を奏する。
請求項１に記載の考案は、エラストマーからなる側周面外壁が中央部分の外径が係合する容器の内径より大きく、両底面の最大径は当該容器の内径より小さく形成されることで、両底面同士を互いに離れるように移動させると、エラストマーからなる筒体の中央部分の外径が小さくなって容器内周を移動できる。このような動作により中央部分の外径が変化するので、従来の同種類の蓋に比較して外径の変化を大きくでき、また、容器内周の大きさを適切なものとすることで接触面は面接触することとなり、密閉性を確保することができる。また、外径の変化する範囲に容器内周径が収まっていれば蓋は容器内周に係合可能であるので、蓋と容器との間の精度は厳密でなくても係合が可能であり、これにより製造コストの低減に資することができる。
請求項２に記載の考案は、下底面を硬質な板体で塞ぎ、上底面に硬質な枠タイを固定することで側周面を構成する筒体の上底面と下底面とを比較的容易に歪みなく均等に移動させることができ、これにより側周面中央の外径の比較的容易に歪みなく均等に変化させることが可能となる。  
請求項３に記載の考案は、使用者は指掛け部に人差し指から小指までの少なくとも１本の指を下方から掛け、親指で押下部を下方に押すと、たやすく側周面を構成する筒体の下底面と上底面との間の距離を広げて、側周面外周中央の外径を小さくすることができる。
請求項４に記載の考案は、側周面を構成するエラストマーにより形成される筒体とは別の弾性体によって、上底面側と下底面側とが互いに近づく方向に付勢することで、エラストマーの弾性力を小さくしても機能するようにできるので、側周面の外壁をより薄く形成することができ、これによってより外周中央の外径の変化をよりスムーズにすることができる。
請求項５に記載の考案は、上記効果を有する容器用蓋による、容量を変えることができる容器を実現することができる。
【図面の簡単な説明】
【０００７】
【図１】実施形態に係る容器用蓋の斜視図である。
【図２】（ａ）は、実施形態に係る容器用蓋の図１の状態における縦断面図であり、（ｂ）は実施形態に係る容器用蓋の外径を小さくした状態における縦断面図である。
【図３】（ａ）は、実施形態に係る容器用蓋を容器内で移動させる状態を示す図であり、（ｂ）は実施形態に係る容器用蓋を容器に係合させた状態を示す図である。
【考案を実施するための形態】
【０００８】
以下、本考案の実施の形態について、図面を参照しながら説明する。
図１に本実施形態に係る容器用蓋Ｘの斜視図を示し、図２（ａ）に容器用蓋Ｘの縦断面図を示す。容器用蓋Ｘは筒体１０、下面封止板２０、上面保持板３０、指掛け部４０、押下部５０、連結部６０、圧縮バネ７０を有する。
筒体１０は、シリコーンゴム、ウレタンゴム、合成ゴム、天然ゴム等のエラストマーからなる、薄い外壁を有する偏平な円形断面の筒状体である。筒体１０は上底面と下底面には内フランジ１１、１１が形成されている。また、筒体は力を加えない状態において側周面中央の外周径が両底面の外周径に比較してやや大きくなるように形成されており、上底面と下底面を近づけると図１、図２（ａ）に示すように側周面中央の外周径はより大きくなるように変形する。この際、筒体１０は十分に薄く、弾性を有する柔らかいエラストマーにより形成されるので皺やひずみが生じることがない。
下面封止板２０は筒体１０の下底面とほぼ同じ外径を有するプラスチック製の円板で、外周に筒体１０の内フランジ１１が嵌る溝２１が形成されており、当該溝２１に筒体１０の下底面側の内フランジが嵌ることで下面封止板２０は筒体１０の下底面に固定され、筒体１０の下底面は下面封止板２０によって気密的に封止されることとなる。また、下面封止板２０の上面には２箇所、後述する連結部６０の下端が嵌る穴２２が形成されている。
上面保持板３０は筒体１０の上底面とほぼ同じ外径を有するプラスチック製の円板で、外周に筒体１０の内フランジ１１が嵌る溝３１が形成されており、当該溝３１に筒体１０の上底面側の内フランジ１１が嵌ることで上面保持板３０は筒体１０の上底面に固定される。また、上面保持板３０には２箇所、後述する連結部６０が通る孔３２が形成されている。
指掛け部４０は上面保持板３０の上面中央に一体に成型されるアーチ状の部材である。指掛け部４０の両端は筒状に形成され、中央側は筒体から上方を開放したような形状をなしている。
押下部５０は、指掛け部４０の中央側の部分に沿う弧状のプラスチック製の棒体で、指掛け部４０の中央側の部分の上方に位置する。押下部５０は両端が下方に突出し、当該突出した部分に後述する連結部６０の上端が嵌る穴５１が形成されている。
連結部６０は、金属製の丸棒であり上端が押下部５０の両端の穴５１のそれぞれに嵌って下垂するように二本設けられる。連結部６０は前述した上面保持板３１の孔３２を通り、下面封止板２０の穴２２に下端が嵌って固定される。即ち、押下部５０の穴５１、上面保持板３１の孔３２、下面封止板２０の孔２２は上下方向に真っ直ぐ並ぶように配置されることとなる。連結部６０の長さは、図１及び図２（ａ）の状態において、押下部５０と指掛け部４０との間に一定距離の空間が形成されるように設定される。
圧縮バネ７０は連結部６０を通るコイル型の圧縮バネであり、押下部５０と上面保持板３０との間に設けられることで押下部５０を持ち上げ、連結部６０により押下部５０に連結されている下面封止板２０を引き上げるよう付勢する。これによって、筒体１０の上底面と下底面は近づくように付勢されることで側週面中央の外径が大きくなり、押下部５０は指掛け部４０に対して一定距離上方に離れる位置に保持されることとなる。
以上説明したような構成によって、容器用蓋Ｘは、圧縮バネ７０に抗して押下部５０を押し下げると図２（ｂ）の縦断面図に示すように、下面封止板２０が上面保持板３０に対して押し下げられ、筒体１０の上底面と下底面とが互いに離れるように移動する。これによって、筒体１０の側周面中央の外周径が図２（ｂ）に示すように小さくなる。また、押下部５０を押し下げる力を解放すると、圧縮バネ７０によって押下部５０は押し上げられ、図２（ａ）の状態に戻る。
【０００９】
次に、以上のような構成を有する容器用蓋Ｘの使用方法について説明する。容器用蓋Ｘは、筒体１０外周径が変化する側周面中央部の最小外径よりも大きく、最大外径よりも小さい内周面を有する有底円筒状の容器に対して使用する。
使用者は図３（ａ）に示すように、人差指、中指等で指掛け部４０を下から支持し、押下部５０を親指で下方に押す。これによって、筒体１０の上底面と下底面との距離が広くなり側周面中央の外周径は小さくなる。また、この状態で指掛け部４０と押下部５０とが取っ手の役割を果たし、使用者は指で挟んで保持することで容器用蓋Ｘ全体を持ち上げた状態とすることができる。押下部５０を押し下げた状態において、筒体１０の側周面外周径は容器Ｐの内周径よりも小さいので容器用蓋Ｘは容器Ｐ内を自由に上下方向に移動させることができる。そして、所望の位置で親指による押下部５０を押下する力を解放すると、図３（ｂ）に示すように、筒体１０の上底面と下底面との距離が近くなり側周面中央の外周径は大きくなる。すなわち、筒体１０の側周面外周径は容器Ｐの内周径よりも大きくなるので、筒体１０の側周面中央は容器Ｐの内周面に密着し、容器Ｐ内周面に係合固定することとなる。この際、容器Ｐの内周径の大きさを適当なものとすることで、筒体１０の側周面は容器Ｐの内周面に円筒面で接触するので高い密閉性を確保することができる。
このように、本実施形態に係る容器用蓋Ｘを適切な大きさの有底円筒状の容器Ｐと組み合わせることで、簡易に容器Ｐ内の所望の位置に容器用蓋Ｘを密閉固定できる蓋付き容器を実現することができる。
【００１０】
なお、上記実施形態では、圧縮バネを用いているが、引っ張りバネを上面保持板３０と下面封止板２０との間に設けるようにしてもよく、また、筒体１０を厚くして、筒体１０の弾性力によって筒体１０の上底面と下底面とを近づけるようにすることでバネを省略することもできる。
また、上記の実施形態に示した指掛け部４０、押下部５０、連結部６０の機構は例示であって、前記特許文献１乃至５に示すように上部保持板３０に上方が開いた筒体を指掛け部として設け、押下部５０及び連結部６０を当該筒体を通る円柱とする等、筒体１０の両底面を使用者の操作で離すことができれば任意の機構を採用することができる。
さらに、容器Ｐは、底部から開口まで同じ内周径の容器を示したが、一部の範囲のみ内周径が同じ円筒状部分があれば、当該部分で容器用蓋Ｘを使用することが可能であるので、容器用蓋Ｘに用いる容器として、例えば、開口から一定範囲が同じ内周径で、下端側は内周径が大きくなるような容器を用いることも可能である。
それから上面保持板は、気密性が要求されないので、穴があってもよく、単に筒体１０の上底面外周を保持する枠体によって形成することもできる。
【符号の説明】
【００１１】
Ｘ  容器用蓋
Ｐ  容器
１０  筒体
２０  下面封止板
３０  上面保持板
４０  指掛け部
５０  押下部
６０  連結部
７０  圧縮バネ
【図１】
0003199467.tif 000003
【図２】
0003199467.tif 000004
【図３】
0003199467.tif 000005
【手続補正書】
【提出日】平成27年6月19日(2015.6.19)
【手続補正１】
【補正対象書類名】実用新案登録請求の範囲
【補正対象項目名】請求項５
【補正方法】変更
【補正の内容】
【請求項５】
請求項１から４のいずれか１項に記載の容器用蓋と、
前記筒体の側周面中央部分の外径より小さく、前記筒体の両底面の最大径よりも大きい内径を有する円筒部分が形成された容器と
からなる蓋付き容器。